(57)【要約】【課題】部品点数の削減及び組み付けの簡素化を図りつつ、所定の表示キャラクタの背面に向かって出射された光が、他の表示キャラクタの背面に入射されてしまうことを防止した光拡散板及び当該光拡散板を用いた表示器を提供する。【解決手段】拡散部５２ａ〜５２ｇ、５３ａ〜５３ｇは、複数の表示キャラクタの背面の各々に配置されている。曲線状の連結部５５により、複数の拡散部５２ａ〜５２ｇ、５３ａ〜５３ｇが互いに連結されている。少なくとも４つの拡散部５２ａ〜５２ｄは、四辺を囲むように配置され、連結部５５は、拡散部５２ａ〜５２ｄによって囲まれた空間の略中心Ｃから拡散部５２ａ〜５２ｄの各々に向かって連結するように形成されている。【選択図】      図３
2004177483.tif 000002
【特許請求の範囲】
【請求項１】
背面からの光の入射によって光輝する表示キャラクタが複数形成されている表示部の背面に設けられた光拡散板であって、
前記複数の表示キャラクタの背面に各々配置される複数の拡散部と、
前記複数の拡散部を互いに連結する曲線状の連結部と
を備えたことを特徴とする光拡散板。
【請求項２】
請求項１記載の光拡散板であって、
前記複数の表示キャラクタとして、少なくとも４つの表示用のセグメントが四辺を囲むように配置されて形成されているとき、少なくとも４つの前記拡散部は、前記セグメントの配置に対応して四辺を囲むように配置され、
前記連結部は、前記拡散部によって囲まれた空間の略中心から当該拡散部の各々に向かって連結するように形成されている
ことを特徴とする光拡散板。
【請求項３】
請求項２記載の光拡散板であって、
前記連結部は、前記略中心から前記拡散部までの部分毎に、異なる曲線となるように形成されている
ことを特徴とする光拡散板。
【請求項４】
背面からの光の入射によって光輝する表示キャラクタが複数形成されている表示部の背面に設けられる光拡散板であって、
互いに隣接する前記表示キャラクタと前記表示キャラクタとの境界の背面に配置される部分に、凹部又は凸部が設けられている
ことを特徴とする光拡散板。
【請求項５】
請求項１〜４何れか１項記載の光拡散板であって、
前記表示部が、前記表示キャラクタが１つが立体的に形成された複数の表示導光体を有するとき、前記表示導光体と一体に形成される
ことを特徴とする光拡散板。
【請求項６】
請求項５記載の光拡散板であって、
前記表示導光体用の金型に当該光拡散板を挿入した状態で、前記金型内に前記表示導光体の形成剤を注入することにより、当該光拡散板と前記表示導光体とが一体に形成されている
ことを特徴とする光拡散板。
【請求項７】
請求項５記載の光拡散板であって、
当該光拡散板の形成剤と前記表示導光体の形成剤との２色形成により、当該光拡散板と前記表示導光体とが一体に形成されている
ことを特徴とする光拡散板。
【請求項８】
背面からの光の入射によって光輝する表示キャラクタが複数形成されている表示部と、
前記複数の表示キャラクタの背面に各々配置される複数の拡散部及び前記複数の拡散部を互いに連結する曲線状の連結部を有する光拡散板と、
前記光拡散板の背面に設けられた点光源と
を備えた表示器。
【請求項９】
背面からの光の入射によって光輝する表示キャラクタが複数形成されている表示部と、
前記表示部の背面に設けられた光拡散板と、
前記光拡散板の背面に設けられた点光源とを備え、
前記光拡散板は、互いに隣接する前記表示キャラクタと前記表示キャラクタとの境界の背面に配置される部分に、凹部又は凸部が設けられている
ことを特徴とする表示器。
【発明の詳細な説明】
【０００１】
【発明の属する技術分野】
この発明は、光拡散板及び表示器に係わり、特に、背面からの光の入射によって光輝する表示キャラクタが複数形成されている表示部の背面に設けられた光拡散板及び当該光拡散板を備えた表示器に関する。
【０００２】
【従来の技術】
従来より、表示キャラクタが立体的に形成された導光体や、表示キャラクタの形状が切り抜かれた遮蔽板から構成される表示部の背面から光を照射して、表示キャラクタを発光表示させる表示器が考えられている。このような表示器において、上記表示部と光源との間に光拡散板を設け、表示キャラクタ全体が均一に発光されるようにすることが考えられている。
【０００３】
このような表示器として、例えば、図７（ａ）に示すように、数字の８を構成する７つのセグメントａ〜ｇが形成された表示部と、各セグメントａ〜ｇの背面に配置された７つの光源２ａ〜２ｇとを備えた７セグメント表示器がある。このような７セグメント表示器において、全セグメントａ〜ｇの背面を覆うように、光拡散板３を設けると、例えば、セグメントａに対応して設けた光源２ａを発光させたとき、光拡散板３を介して、その光が、セグメントｂ、ｃの背面に入射されてしまう。
【０００４】
そこで、図７（ｂ）に示すように、光拡散板３を各セグメントａ〜ｇ毎に独立して設けると、点灯している光源に対応するセグメント以外のセグメントへの光漏れはなくなるが、部品点数が多くなると共に、組み付けが煩雑になるという問題があった。
【０００５】
【発明が解決しようとする課題】
そこで、本発明は、上記のような問題点に着目し、部品点数の削減及び組み付けの簡素化を図りつつ、所定の表示キャラクタの背面に向かって出射された光が、他の表示キャラクタの背面に入射されてしまうことを防止した光拡散板及び当該光拡散板を用いた表示器を提供することを課題とする。
【０００６】
【課題を解決するための手段】
上記課題を解決するためになされた請求項１記載の発明は、背面からの光の入射によって光輝する表示キャラクタが複数形成されている表示部の背面に設けられた光拡散板であって、前記複数の表示キャラクタの背面に各々配置される複数の拡散部と、前記複数の拡散部を互いに連結する曲線状の連結部とを備えたことを特徴とする光拡散板に存する。
【０００７】
請求項１記載の発明によれば、拡散部は、複数の表示キャラクタの背面の各々に配置されている。曲線状の連結部により、複数の拡散部が互いに連結されている。従って、連結部によって、複数の拡散部を互いに連結することにより、光拡散板を一体に形成することができる。また、連結部を曲線状に形成することにより、所定の拡散部の背面に入射された光が、連結部を伝播して、他の拡散部に入射されることがない。
【０００８】
請求項２記載の発明は、請求項１記載の光拡散板であって、前記複数の表示キャラクタとして、少なくとも４つの表示用のセグメントが四辺を囲むように配置されて形成されているとき、少なくとも４つの前記拡散部は、前記セグメントの配置に対応して四辺を囲むように配置され、前記連結部は、前記拡散部によって囲まれた空間の略中心から当該拡散部の各々に向かって連結するように形成されていることを特徴とする光拡散板に存する。
【０００９】
請求項２記載の発明によれば、複数の表示キャラクタとして、少なくとも４つの表示用のセグメントが四辺を囲むように配置されて形成されている。このとき、少なくとも４つの拡散部が、セグメントの配置に対応して四辺を囲むように配置される。連結部が、拡散部によって囲まれた空間の略中心からその拡散部の各々に向かって連結するように形成されている。従って、拡散部によって囲まれた空間の略中心からその拡散部の各々に向かって連結するように、連結部を形成することにより、線状の連結部の長さを長くすることができる。
【００１０】
請求項３記載の発明は、請求項２記載の光拡散板であって、前記連結部は、前記略中心から前記拡散部までの部分毎に、異なる曲線となるように形成されていることを特徴とする光拡散板に存する。
【００１１】
請求項３記載の発明によれば、連結部は、略中心から拡散部までの部分毎に、異なる曲線となるように形成されている。従って、連結部の曲率を大きくすることができる。
【００１２】
請求項４記載の発明は、背面からの光の入射によって光輝する表示キャラクタが複数形成されている表示部の背面に設けられる光拡散板であって、互いに隣接する前記表示キャラクタと前記表示キャラクタとの境界の背面に配置される部分に、凹部又は凸部が設けられていることを特徴とする光拡散板に存する。
【００１３】
請求項４記載の発明によれば、互いに隣接する表示キャラクタと表示キャラクタとの境界の背面に配置される部分に、凹部又は凸部が設けられている。従って、光拡散板を、複数の表示キャラクタ全部を覆うように１枚の板状に形成しても、所定の拡散部の背面に入射された光が、凹部又は凸部に遮られ、他の拡散部に入射されることがない。
【００１４】
請求項５記載の発明は、請求項１〜４何れか１項記載の光拡散板であって、前記表示部が、前記表示キャラクタが１つが立体的に形成された複数の表示導光体を有するとき、前記表示導光体と一体に形成されることを特徴とする光拡散板に存する。
【００１５】
請求項５記載の発明によれば、表示部が、表示キャラクタが１つが立体的に形成された複数の表示導光体を有する。このとき、光拡散板は、表示導光体を一体に形成されている。従って、表示導光体を一体に形成することにより、部品点数の削減及び組み付けの簡素化を図ることができる。
【００１６】
請求項６記載の発明は、請求項５記載の光拡散板であって、前記表示導光体用の金型に当該光拡散板を挿入した状態で、前記金型内に前記表示導光体の形成剤を注入することにより、当該光拡散板と前記表示導光体とが一体に形成されていることを特徴とする光拡散板に存する。
【００１７】
請求項６記載の発明によれば、表示導光体用の金型に、光拡散板を挿入した状態で、金型内に表示導光体の形成剤を注入することにより、光拡散板と表示導光体とが一体に形成されている。従って、簡単に表示導光体と一体に形成することができる。
【００１８】
請求項７記載の発明は、請求項５記載の光拡散板であって、当該光拡散板の形成剤と前記表示導光体の形成剤との２色形成により、当該光拡散板と前記表示導光体とが一体に形成されていることを特徴とする光拡散板に存する。
【００１９】
請求項７記載の発明によれば、光拡散板の形成剤と表示導光体の形成剤との２色形成により、光拡散板と表示導光体とが一体に形成されている。従って、簡単に表示導光体と一体に形成することができる。
【００２０】
請求項８記載の発明は、背面からの光の入射によって光輝する表示キャラクタが複数形成されている表示部と、前記複数の表示キャラクタの背面に各々配置される複数の拡散部及び前記複数の拡散部を互いに連結する曲線状の連結部を有する光拡散板と、前記光拡散板の背面に設けられた点光源とを備えた表示器に存する。
【００２１】
請求項８記載の発明によれば、表示部が、背面からの光の入射によって光輝する表示キャラクタが複数形成されている。光拡散板において、拡散部が、複数の表示キャラクタの背面に各々配置され、曲線状の連結部が、複数の拡散部を互いに連結する。点光源が、光拡散板の背面に設けられる。従って、連結部によって、複数の拡散部を互いに連結することにより、光拡散板を一体に形成することができる。また、連結部を曲線状に形成することにより、所定の拡散部の背面に入射された光が、連結部を伝播して、他の拡散部に入射されることがない。
【００２２】
請求項９記載の発明は、背面からの光の入射によって光輝する表示キャラクタが複数形成されている表示部と、前記表示部の背面に設けられた光拡散板と、前記光拡散板の背面に設けられた点光源とを備え、前記光拡散板は、互いに隣接する前記表示キャラクタと前記表示キャラクタとの境界の背面に配置される部分に、凹部又は凸部が設けられていることを特徴とする表示器に存する。
【００２３】
請求項９記載の発明によれば、、表示部が、背面からの光の入射によって光輝する表示キャラクタが複数形成されている。表示部の背面に設けられた光拡散板には、互いに隣接する表示キャラクタと表示キャラクタとの境界の背面に配置される部分に、凹部又は凸部が設けられている。点光源が、光拡散板の背面に設けられる。従って、光拡散板を、複数の表示キャラクタ全部を覆うように１枚の板状に形成しても、所定の拡散部の背面に入射された光が、凹部又は凸部に遮られ、他の拡散部に入射されることがない。
【００２４】
【発明の実施の形態】
第１実施形態
以下、本発明の光拡散板を組み込んだ表示器を、図面に基づいて説明する。図１は、本発明の表示器をディジタルのスピードメータに適用した場合の一実施の形態を示す斜視図である。同図に示すように、表示器は、表示キャラクタとして、表示用のセグメントや、スピード単位（ｋｍ／ｈ）を表す文字形状が立体的に形成された表示導光体１０を備えている（文字形状が形成されている表示導光体１０については図示せず）。
【００２５】
上記セグメントは、例えば、１６個形成され、表示導光体１０は、１６個のセグメント形状毎に各々別パーツで設けられている。なお、１６個のセグメントは、例えば、数字の“１８８”を表すように配置されている。上記表示導光体１０の背面には、光源としての１８個のＬＥＤ２０が配されている。１８個のＬＥＤ２０のうち１６個は各々、１６個のセグメントの背面に位置するように、基板３０上に配されている。また、残りの２つは、文字形状の背面に位置するように、基板３０上に配されている。
【００２６】
上記表示導光体１０とＬＥＤ２０との間には、ＬＥＤ２０からの光を表示導光体１０に集光するための箱形の集光部４０と、集光部４０から表示導光体１０に向かって出射された光を拡散する光拡散板５０とが設けられている。また、表示導光体１０の正面には、セグメント形状や文字形状の外周に沿って切り抜かれた切抜部６１を有する遮蔽板６０と、同様の切抜部７１を有する化粧板７０とが配されている。上記遮蔽板６０と表示導光体１０とで、請求項中の表示部を構成している。
【００２７】
上記集光部４０は、光遮断部材から形成されており、各セグメント形状に対向する位置に、背面から正面に貫通する１６個の貫通孔４１ａと、文字形状に対向する位置に、背面から正面に貫通する貫通孔４１ｂが設けられている。そして、貫通孔４１ａ及び４２ｂ内には、それぞれ集光導光体４２が挿入されている。この集光導光体４２は、断面が放物線状の反射面を有している。
【００２８】
また、集光部４０には、ネジ孔を有するフランジ４３が設けられている。このフランジ４３に設けたネジ孔を、基板３０に設けたネジ孔３１と一致させて、ネジで固定すると、集光部４０に設けた集光導光体４２の反射面４２ａが形成する放物線の焦点に、ＬＥＤ２０が一個づつ配置され、貫通孔４１ｂの背面に、２つのＬＥＤ２０が配置された状態で、基板３０に集光部４０を固定することができる。
【００２９】
上述した遮断板６０は、集光部４０を覆う蓋状に形成され、光拡散板５０及び表示導光体１０を挟んだ状態で、孔６２を集光部４０に設けた凸部４４に引っかけることにより、集光部４０に固定することができる。
【００３０】
次に、上述した表示導光体１０の詳細について、図２に基づいて説明する。図２は、表示導光体１０の部分正面図である。同図に示すように、２つのセグメント１１ａ及び１１ｂは、長手方向に並べて配置され、数字の“１”を構成している。また、７つのセグメント１２ａ〜１２ｇは、数字の“８”を構成するように配置されている。具体的には、７つのうち、４つのセグメント１２ａ〜１２ｄは、四辺を囲むように配置されている。残りの３つのセグメント１２ｆ〜１２ｇは、上記セグメント１２ｄと共に、四辺を囲むように配置されている。さらに、７つのセグメント１３ａ〜１３ｇも、上記セグメント１２ａ〜１２ｇと同様に配置され、数字の“８”を構成している。
【００３１】
次に、上述した表示導光体１０の背面に配置される光拡散板５０の詳細な形状について、図３に基づいて説明する。図３は、光拡散板５０の正面図である。光拡散板５０は、セグメント１１ａ及び１１ｂの背面に各々配置される拡散部５１ａ及び５１ｂと、セグメント１２ａ〜１２ｇの背面に各々配置される拡散部５２ａ〜５２ｇと、セグメント１３ａ〜１３ｇの背面に各々配置される拡散部５３ａ〜５３ｇと、「ｋｍ／ｈ」文字を形成する表示導光体１０の背面を覆うように配置される拡散部５４と、拡散部５１ａ、５１ｂ、５２ａ〜５２ｇ、５３ａ〜５３ｇ及び５４を互いに連結する連結部５５とを備えている。
【００３２】
上記拡散部５２ａ〜５２ｇは、上述したセグメント１２ａ〜１２ｇの配置と同様に、７つのうち、４つの拡散部５２ａ〜５２ｇが、四辺を囲むように配置されている。残りの３つの拡散部５２ｆ〜５２ｇは、上記５２ｄと共に、四辺を囲むように配置されている。
【００３３】
上記拡散部５２ａ〜５２ｄを連結する連結部５５は、曲線状に形成されている。より詳しくは、連結部５５は、４つの拡散部５２ａ〜５２ｄによって囲まれた空間の略中心Ｃから上記４つの拡散部５２ａ〜５２ｇの各々に向かって連結するように形成されている。連結部５５は、さらに、略中心Ｃから各拡散部５２ａ〜５２ｇまでの部分毎に、異なる曲線となるように形成されている。
【００３４】
上記拡散部５２ｄ〜５２ｆを連結する連結部５５も同様に、曲線状に形成され、拡散部５２ｄ〜５２ｆによって囲まれた空間の略中心Ｃから４つの拡散部５２ｄ〜５２ｆの各々に向かって連結するように形成されている。連結部５５は、さらに、略中心Ｃから各拡散部５２ｄ〜５２ｆまでの部分毎に、異なる曲線となるように形成されている。拡散部５３ａ〜５３ｇについては、上記５２ａ〜５２ｇと同様に連結されているため、ここではその説明を省略する。
【００３５】
上述した構成の表示器の動作について、以下説明する。今、例えば、セグメント１２ａの背面に配置されたＬＥＤ２０を点灯させると、ＬＥＤ２０からの光は、集光部４０内のセグメント１２ａの背面に形成された貫通孔４１ａ内に入射する。貫通孔４１ａ内に入射された光は、集光導光体４２を透過した後直接、または、集光導光体４２の放物線状の反射面で反射して、拡散部５２ａの背面に入射される。貫通孔４１ａは、光遮断部材で形成されているため、セグメント１２ａの背面に配置されたＬＥＤ２０からの光が、他の貫通孔４１ａに漏れることはない。
【００３６】
拡散部５２ａの背面に入射された光は、拡散部５２ａ全体に拡散された後、セグメント１２ａの背面に入射され、セグメント１２ａが光輝する。なお、拡散部５２ａ〜５２ｄを互いに連結する連結部５５は、上述したように曲線状に形成されている。このため、拡散部５２ａの背面に入射された光が、連結部５５を伝播して、他の拡散部５２ｂ〜５２ｄに入射されることがない。
【００３７】
つまり、連結部５５により複数の拡散部５１ａ、５１ｂ、５２ａ〜５２ｇ、５３ａ〜５３ｇ、５４を互いに連結して、光拡散板５０を一体に形成して、部品点数の削減及び組み付けの簡素化を図っても、所定の拡散部から連結部５５を介しての他の拡散部への光漏れがない。このため、所定のセグメントの背面に向かって出射された光が、他のセグメントの背面に入射されてしまうことを防止することができる。
【００３８】
また、連結部５５を、拡散部５３ａ〜５３ｄ、拡散部５３ｄ〜５３ｇによって囲まれた空間の略中心Ｃから各拡散部５３ａ〜５３ｄ、拡散部５３ｄ〜５３ｇの各々に向かって連結するように形成することにより、必ず略中心Ｃを通過して拡散部同士が連結されるため、連結部５５の長さを長くすることができる。従って、連結部５５を介して所定の拡散部からの他の拡散部への光漏れを、より確実に防止することができる。
【００３９】
さらに、連結部５５は、上記略中心Ｃから各拡散部５３ａ〜５３ｄ、拡散部５３ｄ〜５３ｇ毎に、異なる曲線となるように形成されている。このため、連結部５５の曲率を大きくすることができ、より確実に、連結部５５を介して所定の拡散部からの他の拡散部への光漏れを防止することができる。
【００４０】
なお、上述した第１実施形態では、光拡散板５０と表示導光体１０とを別パーツで設けていたが、図４に示すように、光拡散板５０と表示導光体１０とを一体形成して、部品点数の削減及び組み付けの簡素化を図ることも考えられる。一体形成の方法としては、例えば、光拡散板５０を型抜き加工などによって予め形成してある場合、表示導光体１０の金型に光拡散板５０を挿入した状態で、金型内に表示導光体１０の形成剤である透明性樹脂を注入するフィルムインサート形成などが考えられる。
【００４１】
また、上記フィルムインサート形成以外に、例えば、光拡散板５０の形成剤である乳白材質と表示導光体１０の形成剤である透明性樹脂との２色形成により形成することも考えられる。
【００４２】
さらに、上述した第１実施形態では、図３に示すように、拡散部５２ａ〜５２ｄの連結部５５は、４つの拡散部５２ａ〜５２ｄによって囲まれた空間の略中心Ｃから上記４つの拡散部５２ａ〜５２ｇの各々に向かって連結するように形成されていたが、例えば、図５（ａ）に示すように、略中心Ｃを通らないように連結部５５を形成しても良い。しかしながら、図５（ａ）に示す形状の連結部５５では、図３に示す形状の連結部５５に比べて、連結部５５の長さが短くなってしまう。このため、４つの拡散部５２ａ〜５２ｄによって囲まれた空間が狭い場合には、図３に示す形状の連結部５５の方が好ましい。
【００４３】
また、上述した第１実施形態では、図３に示すように、拡散部５２ａ〜５２ｄの連結部５５は、略中心Ｃから各拡散部５２ａ〜５２ｇまでの部分毎に、異なる曲線となるように形成されているが、例えば、図５（ｂ）に示すように、互いに対向する拡散部間を連結する部分毎に異なる曲線となるように形成することも考えられる。しかしながら、図５（ｂ）に示す形状の連結部５５では、図３に示す形状の連結部５５に比べて、連結部５５の曲率が小さくなってしまう。このため、４つの拡散部５２ａ〜５２ｄによって囲まれた空間が狭い場合には、図３に示す形状の連結部５５の方が好ましい。
【００４４】
第２実施形態
なお、第１実施形態では、光拡散板５０は、複数の拡散部５１ａ、５１ｂ、５２ａ〜５２ｇ、５３ａ〜５３ｇ、５４と、それらを連結する連結部５５とで構成されていた。しかしながら、図６に示すように、光拡散板５０を、複数のセグメント１２ａ〜１２ｇの背面全体を覆う１枚の板状に形成し、さらに、互いに隣接するセグメント間の境界の背面に位置する部分に、凹状の光遮断部５６を設けることが考えられる。
【００４５】
以上のように光拡散板５０に凹状の光遮断部５６を設けることにより、光拡散板５０を、複数のセグメント全部を覆うように１枚の板状に形成しても、所定のセグメントの背面に入射された光が、光遮断部５６に遮られ、他のセグメントの背面に入射されることがない。この場合も、フィルムインサートや、２色形成によりセグメントを形成する表示導光体１０と一体にすることが考えられる。また、光遮断部５６は、凸状に形成することも考えられる。
【００４６】
【発明の効果】
以上説明したように、請求項１及び８記載の発明によれば、連結部によって、複数の拡散部を互いに連結することにより、光拡散板を一体に形成することができるので、部品点数の削減及び組付けの簡素化を図ることができる。また、連結部を曲線状に形成することにより、所定の拡散部の背面に入射された光が、連結部を伝播して、他の拡散部に入射されることがないので、所定の表示キャラクタの背面に向かって出射された光が、他の表示キャラクタの背面に入射されてしまうことを防止した光拡散板及び表示器を得ることができる。
【００４７】
請求項２記載の発明によれば、拡散部によって囲まれた空間の略中心からその拡散部の各々に向かって連結するように、連結部を形成することにより、線状の連結部の長さを長くすることができるので、所定の表示キャラクタの背面に向かって出射された光が、他の表示キャラクタの背面に入射されてしまうことを、より確実に、防止した光拡散板を得ることができる。
【００４８】
請求項３記載の発明によれば、連結部の曲率を大きくすることができるので、所定の表示キャラクタの背面に向かって出射された光が、他の表示キャラクタの背面に入射されてしまうことを、より確実に、防止した光拡散板を得ることができる。
【００４９】
請求項４及び９記載の発明によれば、光拡散板を、複数の表示キャラクタ全部を覆うように１枚の板状に形成しても、所定の拡散部の背面に入射された光が、凹部又は凸部に遮られ、他の拡散部に入射されることがないので、部品点数の削減及び組み付けの簡素化を図りつつ、所定の表示キャラクタの背面に向かって出射された光が、他の表示キャラクタの背面に入射されてしまうことを防止した光拡散板及び表示器を得ることができる。
【００５０】
請求項５記載の発明によれば、表示導光体を一体に形成することにより、部品点数の削減及び組み付けの簡素化を図った光拡散板を得ることができる。
【００５１】
請求項６及び７記載の発明によれば、簡単に表示導光体と一体に形成することができる光拡散板を得ることができる。
【図面の簡単な説明】
【図１】本発明の表示器をディジタルのスピードメータに適用した場合の一実施の形態を示す斜視図である。
【図２】図１に示す表示導光体１０の部分正面図である。
【図３】図１に示す光拡散板５０の正面図である。
【図４】一体に形成された光拡散板５０と表示導光体１０との斜視図である。
【図５】他の実施形態における連結部５５の形状を説明するための図である。
【図６】第２実施形態における拡散板５０とセグメント１２ａ〜１２ｇとの正面図である。
【図７】従来の表示器の一例を示す正面図である。
【符号の説明】
１１ａ、１１ｂ  セグメント（表示キャラクタ）
１２ａ〜１２ｇ  セグメント（表示キャラクタ）
１３ａ〜１３ｇ  セグメント（表示キャラクタ）
２０            ＬＥＤ（点光源）
５０            光拡散板
５１ａ、５１ｂ  拡散部
５２ａ〜５２ｇ  拡散部
５３ａ〜５３ｇ  拡散部
５４            拡散部
５５            連結部
５６            光遮断部（凹部、凸部）
Ｃ              略中心
【図１】
2004177483.tif 000003
【図２】
2004177483.tif 000004
【図３】
2004177483.tif 000005
【図４】
2004177483.tif 000006
【図５】
2004177483.tif 000007
【図６】
2004177483.tif 000008
【図７】
2004177483.tif 000009